(57)【要約】【課題】  初心者でも簡単に適切な電源管理設定に変更し、現在の電源管理設定を容易に確認することが可能な携帯情報端末装置を提供する。【解決手段】  携帯情報端末装置は、設定変更部４と状態表示部５とを具備する。設定変更部４は、ユーザによるボタンの押下に応答して出力される第１信号に基づいて、電力の消費を管理するモードとしての電力管理モードを、予め設定された複数の第１電力管理モードのうちから選択して変更する。状態表示部５は、第１信号に基づいて、電力管理モードに対応して表示器１３に表示される内容としてのモード表示を、予め設定された複数の第１モード表示のうちから前記電力管理モードに対応させて選択して変更する。【選択図】      図２
2005310004.tif 000002
【特許請求の範囲】
【請求項１】
ユーザによるボタンの押下に基づいて、電力の消費を管理するモードとしての電力管理モードを、予め設定された複数の第１電力管理モードのうちから選択して変更する設定変更部と、
前記押下に基づいて、前記電力管理モードに対応して表示器の表示としてのモード表示を、前記電力管理モードに対応させて予め設定された複数の第１モード表示のうちから選択して変更する状態表示部と
を具備する
携帯情報端末装置。
【請求項２】
請求項１に記載の携帯情報端末装置において、
前記設定変更部は、前記電力管理モードを、前記押下ごとに、前記複数の第１電力管理モードのうちから所定の順番で選択される一つに変更し、
前記状態表示部は、前記モード表示を、前記押下ごとに、前記複数の第１モード表示のうちから前記所定の順番で選択される一つに変更する
携帯情報端末装置。
【請求項３】
請求項１又は２に記載の携帯情報端末装置において、
前記表示器は、電気で発光する機器であり、前記複数の第１モード表示は、前記機器の複数の発光色である
携帯情報端末装置。
【請求項４】
請求項１乃至３のいずれか一項に記載の携帯情報端末装置において、
所定の入力信号に基づいて、前記複数の第１電力管理モードの各々の設定を変更する画面としての設定変更画面を表示装置に表示する画面表示部と、
ユーザによる前記設定変更画面に対する入力としての設定入力に基づいて、前記複数の第１電力管理モードの各々の設定を変更する設定部と
を更に具備する
携帯情報端末装置。
【請求項５】
請求項４に記載の携帯情報端末装置において、
前記画面表示部は、前記設定入力に基づいて、予め設定された複数の第２電力管理モードを表示し、
前記設定部は、前記設定入力に基づいて、前記複数の第１電力管理モードの各々の設定を前記複数の第２電力管理モードのうちから選択されるものに変更し、
前記複数の第２電力管理モードの数は、前記複数の第１電力管理モードの数よりも多い
携帯情報端末装置。
【請求項６】
請求項４又は５に記載の携帯情報端末装置において、
前記画面表示部は、前記設定入力に基づいて、ユーザが新たに作成できる電力管理モードとしての第３電力管理モードの入力画面を表示し、
前記設定部は、前記設定入力に基づいて、前記第３電力管理モードの設定を行う
携帯情報端末装置。
【請求項７】
請求項１乃至６のいずれか一項に記載の携帯情報端末装置において、
前記電力管理モードの設定項目は、表示装置の電源、記憶装置の電源、システムのスタンバイ、中央演算処理装置の速度、表示装置の輝度及び主電源の種類のうちの少なくとも一つを含む
携帯情報端末装置。
【請求項８】
設定変更部と状態表示部とを備える携帯情報端末装置に実行させる携帯情報端末装置の電力管理方法であって、
（ａ）設定変更部が、ユーザによるボタンの押下に基づいて、電力の消費を管理するモードとしての電力管理モードを、予め設定された複数の第１電力管理モードのうちから選択して変更するステップと、
（ｂ）状態表示部が、前記押下に基づいて、前記電力管理モードに対応して表示器の表示としてのモード表示を、前記電力管理モードに対応させて予め設定された複数の第１モード表示のうちから選択して変更するステップと
を具備する
携帯情報端末装置の電力管理方法。
【請求項９】
請求項８に記載の携帯情報端末装置の電力管理方法において、
前記（ａ）ステップは、
（ａ１）前記設定変更部が、前記電力管理モードを、前記押下ごとに、前記複数の第１電力管理モードのうちから所定の順番で選択される一つに変更するステップを備え、
前記（ｂ）ステップは、
（ｂ１）前記状態表示部が、前記モード表示を、前記押下ごとに、前記複数の第１モード表示のうちから前記所定の順番で選択される一つに変更するステップを備える
携帯情報端末装置の電力管理方法。
【請求項１０】
請求項８又は９に記載の携帯情報端末装置の電力管理方法において、
前記表示器は、電気で発光する機器であり、前記複数の第１モード表示は、前記機器の複数の発光色である
携帯情報端末装置の電力管理方法。
【請求項１１】
設定変更部と状態表示部とを備える携帯情報端末装置に実行させるコンピュータプログラムであって、
（ａ）設定変更部が、ユーザによるボタンの押下に基づいて、電力の消費を管理するモードとしての電力管理モードを、予め設定された複数の第１電力管理モードのうちから選択して変更するステップと、
（ｂ）状態表示部が、前記押下に基づいて、前記電力管理モードに対応して表示器の表示としてのモード表示を、前記電力管理モードに対応させて予め設定された複数の第１モード表示のうちから選択して変更するステップと
を具備する
携帯情報端末装置の電力管理方法を携帯情報端末装置に実行させるコンピュータプログラム。
【請求項１２】
請求項１１に記載のコンピュータプログラムにおいて、
前記（ａ）ステップは、
（ａ１）前記設定変更部が、前記電力管理モードを、前記押下ごとに、所定の順番で、前記複数の第１電力管理モードのうちから選択される一つに変更するステップを備え、
前記（ｂ）ステップは、
（ｂ１）前記状態表示部が、前記モード表示を、前記押下ごとに、前記所定の順番で、前記複数の第１モード表示のうちから選択される一つに変更するステップを備える
コンピュータプログラム。
【請求項１３】
請求項１１又は１２に記載のコンピュータプログラムにおいて、
前記表示器は、電気で発光する機器であり、前記複数の第１モード表示は、前記機器の複数の発光色である
コンピュータプログラム。
【請求項１４】
請求項１１乃至１３のいずれか一項に記載のコンピュータプログラムにおいて、
前記携帯情報端末装置は、更に、画面表示部と、設定部とを備え、
（ｃ）画面表示部が、所定の入力信号に基づいて、前記複数の第１電力管理モードの各々の設定を変更する画面としての設定変更画面を表示装置に表示するステップと、
（ｄ）設定部が、ユーザによる前記設定変更画面に対する入力としての設定入力に基づいて、前記複数の第１電力管理モードの各々の設定を変更するステップと
を更に具備する
コンピュータプログラム。
【請求項１５】
請求項１４に記載のコンピュータプログラムにおいて、
前記（ｄ）ステップは、
（ｄ１）前記画面表示部が、前記設定入力に基づいて、予め設定された複数の第２電力管理モードを表示するステップと、
（ｄ２）前記設定部が、前記設定入力に基づいて、前記複数の第１電力管理モードの各々の設定を前記複数の第２電力管理モードのうちから選択されるものに変更するステップを備え、
前記複数の第２電力管理モードの数は、前記複数の第１電力管理モードの数よりも多い
コンピュータプログラム。
【請求項１６】
請求項１５に記載のコンピュータプログラムにおいて、
前記（ｄ２）ステップは、
（ｄ２１）前記設定部が、前記複数の第１電力管理モードのなかに同じものがある場合、前記表示装置に所定のエラーメッセージを表示させるステップを含む
コンピュータプログラム。
【請求項１７】
請求項１４乃至１６のいずれか一項に記載のコンピュータプログラムにおいて、
前記（ｄ）ステップは、
（ｄ３）前記画面表示部が、前記設定入力に基づいて、ユーザが新たに作成できる電力管理モードとしての第３電力管理モードの入力画面を表示するステップと、
（ｄ４）前記設定部が、前記設定入力に基づいて、前記第３電力管理モードの設定を行うステップと
を備える
コンピュータプログラム。
【発明の詳細な説明】
【技術分野】
【０００１】
本発明は、携帯情報端末装置及び携帯情報端末装置の電力管理方法に関し、特に電力の管理を改善した携帯情報端末装置及び携帯情報端末装置の電力管理方法に関する。
【背景技術】
【０００２】
ノート型パーソナルコンピュータのような携帯型の情報端末装置（携帯情報端末装置）が知られている。携帯情報端末装置は、ユーザに携帯されてＡＣ電源を利用できない場合、搭載された電池を用いて利用される。この場合、携帯情報端末装置は、設定された装置内の各デバイスの電源管理に基づいて、省電力で駆動されている。それにより、同じ容量の電池を用いても、携帯情報端末装置の駆動時間を伸ばすことができる。
【０００３】
ただし、各デバイスの電源管理を行うには、多数の詳細な項目を設定する必要がある。そのため、初心者では各項目がどのような効果を有するのかを理解できず、有効な設定を行うことが困難である。それに対処するために、利用シーンに対応して各デバイスの電源管理を設定できる設定集を用意している場合もある。ところが、この設定集も様々な装置に対応して用意されているため、その装置に適した設定集がどれなのか初心者では判断できない場合があった。
【０００４】
初心者でも簡単に適切な電源管理設定に変更できる技術が望まれる。現在の電源管理設定を容易に確認することができる技術が求められる。ユーザの求めるように電源管理設定の内容を自由に変更でき、簡単に適切な電源管理設定に変更し、確認することができる技術が望まれる。
【０００５】
関連する技術として実開平２−１４３６３３号公報にシフト状態表示回路の技術が開示されている。このシフト状態表示回路は、少なくとも２つのモードで動作することのできるデュアルモードコンピュータにおいて、キーのシフト状態を表示する少なくとも２色表示可能な唯１個のＬＥＤを設け、このＬＥＤにより、外部より到来する動作モードを示す信号に応じて異なる複数のキーシフト状態を表示することを特徴とする。
【０００６】
関連する技術として特開平１−２４８２３０号公報にパーソナルコンピュータの技術が開示されている。このパーソナルコンピュータは、少なくとも２色発光を可とする表示器を持つコンピュータシステムである。初期化時特定キー押下により起動され、表示モードの指定を促す手段と、これにより表示モードを定義する手段と、ここで定義された表示モードが記憶されるメモリ手段と、該メモリを参照することによりその表示モードを識別し、その表示モードに対応する上記表示器の発光を指示する手段とを具備することを特徴とする。
【０００７】
関連する技術として特開平４−１８４６０７号公報に装置状態表示器の技術が開示されている。この装置状態表示器は、点灯色の選択が可能な電源ランプと、装置電源が投入されたときから装置動作の状態を示す情報が書き込まれる装置状態記憶回路と、装置状態記憶回路に書き込まれている情報と対応した色で電源ランプを点灯駆動する電源ランプ点灯回路と、装置異常の発生を報知するアラームランプと、装置異常を示す情報が書き込まれる装置異常記憶回路と、装置異常を示す情報が装置異常記憶回路へ書き込まれたときにアラームランプを点灯駆動するアラームランプ点灯回路をと有することを特徴とする。
【０００８】
【特許文献１】実開平２−１４３６３３号公報
【特許文献２】特開平１−２４８２３０号公報
【特許文献３】特開平４−１８４６０７号公報
【発明の開示】
【発明が解決しようとする課題】
【０００９】
従って、本発明の目的は、初心者でも簡単に適切な電源管理設定に変更することが可能な携帯情報端末装置及び携帯情報端末装置の電力管理方法を提供することにある。
【００１０】
また、本発明の他の目的は、現在の電源管理設定を容易に確認することが可能な携帯情報端末装置及び携帯情報端末装置の電力管理方法を提供することにある。
【００１１】
本発明の更に他の目的は、上記目的を達成しつつ、ユーザの求めるように電源管理の内容を自由に変更可能な携帯情報端末装置及び携帯情報端末装置の電力管理方法を提供することにある。
【課題を解決するための手段】
【００１２】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１３】
従って、上記課題を解決するために、本発明の携帯情報端末装置は、設定変更部（４）と、状態表示部（５）とを具備する。設定変更部（４）は、ユーザによるボタン（１３）の押下に基づいて、電力の消費を管理するモードとしての電力管理モードを、予め設定された複数の第１電力管理モードのうちから選択して変更する。状態表示部（５）は、その押下に基づいて、電力管理モードに対応して表示器（１２）の表示としてのモード表示を、電力管理モードに対応させて予め設定された複数の第１モード表示のうちから選択して変更する。
本発明により、ボタンの押下により、初心者でも簡単に適切な電源管理モードを変更することができる。加えて、表示器の表示を見ることで、初心者でも現在の電源管理モードを容易に確認することが可能となる。
【００１４】
上記の携帯情報端末装置において、設定変更部（４）は、電力管理モードを、その押下ごとに、複数の第１電力管理モードのうちから所定の順番で選択される一つに変更する。状態表示部（５）は、モード表示を、その押下ごとに、複数の第１モード表示のうちから所定の順番で選択される一つに変更する。
本発明により、電源管理モードの選択の順番が予め決まっているので、電源管理モードの変更の制御を簡略化することができる。
ここで、状態表示部（５）における「押下ごと」は、「押下ごとに電力管理モードが変更されるごと」を含む。
【００１５】
上記の携帯情報端末装置において、表示器（１２）は、電気で発光する機器であり、複数の第１モード表示は、その機器の複数の発光色である。
本発明により、機器の発光する色の変化でモード表示をしているので、現在の電源管理モードをより容易に確実に確認することができる。
【００１６】
上記の携帯情報端末装置において、画面表示部（２）と、設定部（３）とを更に具備する。画面表示部（２）は、所定の入力信号に基づいて、複数の第１電力管理モードの各々の設定を変更する画面としての設定変更画面（２０）を表示装置（１４）に表示する。設定部（３）は、ユーザによる設定変更画面（２０）に対する入力としての設定入力に基づいて、複数の第１電力管理モードの各々の設定を変更する。
【００１７】
上記の携帯情報端末装置において、画面表示部（２）は、その設定入力に基づいて、予め設定された複数の第２電力管理モードを表示する。設定部（３）は、その設定入力に基づいて、複数の第１電力管理モードの各々の設定を複数の第２電力管理モードのうちから選択されるものに変更する。複数の第２電力管理モードの数は、複数の第１電力管理モードの数よりも多い。
【００１８】
上記の携帯情報端末装置において、画面表示部（２）は、その設定入力に基づいて、ユーザが新たに作成できる電力管理モードとしての第３電力管理モードの入力画面を表示する。設定部（３）は、その設定入力に基づいて、第３電力管理モードの設定を行う。
【００１９】
上記の携帯情報端末装置において、電力管理モードの設定項目は、表示装置の電源、記憶装置の電源、システムのスタンバイ、中央演算処理装置の速度、表示装置の輝度及び主電源の種類のうちの少なくとも一つを含む。
【００２０】
従って、上記課題を解決するために、本発明の携帯情報端末装置の電力管理方法は、設定変更部（４）と状態表示部（５）とを備える携帯情報端末装置（１）に実行させる携帯情報端末装置の電力管理方法である。（ａ）設定変更部（４）が、ユーザによるボタン（１３）の押下に基づいて、電力の消費を管理するモードとしての電力管理モードを、予め設定された複数の第１電力管理モードのうちから選択して変更するステップと、（ｂ）状態表示部（５）が、その押下に基づいて、電力管理モードに対応して表示器（１２）の表示としてのモード表示を、電力管理モードに対応させて予め設定された複数の第１モード表示のうちから選択して変更するステップとを具備する。
【００２１】
上記の携帯情報端末装置の電力管理方法において、（ａ）ステップは、（ａ１）設定変更部（４）が、電力管理モードを、その押下ごとに、複数の第１電力管理モードのうちから所定の順番で選択される一つに変更するステップを備える。（ｂ）ステップは、（ｂ１）状態表示部（５）が、モード表示を、その押下ごとに、複数の第１モード表示のうちから所定の順番で選択される一つに変更するステップを備える。
【００２２】
上記の携帯情報端末装置の電力管理方法において、表示器（１２）は、電気で発光する機器であり、複数の第１モード表示は、その機器の複数の発光色である。
【００２３】
従って、上記課題を解決するために、本発明のコンピュータプログラムは、設定変更部（４）と状態表示部（５）とを備える携帯情報端末装置（１）に実行させるコンピュータプログラムである。（ａ）設定変更部（４）が、ユーザによるボタン（１３）の押下に基づいて、電力の消費を管理するモードとしての電力管理モードを、予め設定された複数の第１電力管理モードのうちから選択して変更するステップと、（ｂ）状態表示部（５）が、その押下に基づいて、電力管理モードに対応して表示器（１２）の表示としてのモード表示を、電力管理モードに対応させて予め設定された複数の第１モード表示のうちから選択して変更するステップとを具備する携帯情報端末装置の電力管理方法を携帯情報端末装置に実行させる。
【００２４】
上記のコンピュータプログラムにおいて、（ａ）ステップは、（ａ１）設定変更部（４）が、電力管理モードを、その押下ごとに、所定の順番で、複数の第１電力管理モードのうちから選択される一つに変更するステップを備える。（ｂ）ステップは、（ｂ１）状態表示部（５）が、モード表示を、その押下ごとに、所定の順番で、複数の第１モード表示のうちから選択される一つに変更するステップを備える。
【００２５】
上記のコンピュータプログラムにおいて、表示器（１２）は、電気で発光する機器であり、複数の第１モード表示は、その機器の複数の発光色である。
【００２６】
上記のコンピュータプログラムにおいて、携帯情報端末装置（１）は、更に、画面表示部（２）と、設定部（３）とを備える。（ｃ）画面表示部（２）が、所定の入力信号に基づいて、複数の第１電力管理モードの各々の設定を変更する画面としての設定変更画面（２０）を表示装置（１４）に表示するステップと、（ｄ）設定部（３）が、ユーザによる設定変更画面（２０）に対する入力としての設定入力に基づいて、複数の第１電力管理モードの各々の設定を変更するステップとを更に具備する。
【００２７】
上記のコンピュータプログラムにおいて、（ｄ）ステップは、（ｄ１）画面表示部（２）が、その設定入力に基づいて、予め設定された複数の第２電力管理モードを表示するステップと、（ｄ２）設定部（３）が、その設定入力に基づいて、複数の第１電力管理モードの各々の設定を複数の第２電力管理モードのうちから選択されるものに変更するステップを備える。複数の第２電力管理モードの数は、複数の第１電力管理モードの数よりも多い。
【００２８】
上記のコンピュータプログラムにおいて、
（ｄ２）ステップは、（ｄ２１）設定部（３）が、複数の第１電力管理モードのなかに同じものがある場合、表示装置（１４）に所定のエラーメッセージを表示させるステップを含む。
【００２９】
上記のコンピュータプログラムにおいて、（ｄ）ステップは、（ｄ３）画面表示部（２）が、その設定入力に基づいて、ユーザが新たに作成できる電力管理モードとしての第３電力管理モードの入力画面を表示するステップと、（ｄ２）設定部（３）が、その設定入力に基づいて、第３電力管理モードの設定を行うステップとを備える。
【発明の効果】
【００３０】
本発明により、初心者でも簡単に適切な電源管理設定に変更し、現在の電源管理設定を容易に確認することが可能となる。加えて、ユーザの求めるように電源管理の内容を自由に変更可能となる。
【発明を実施するための最良の形態】
【００３１】
以下、本発明の携帯情報端末装置及び携帯情報端末装置の電力管理方法の実施の形態に関して、添付図面を参照して説明する。本実施の形態では、携帯情報端末装置としてノート型パーソナルコンピュータ（以下、「ノートＰＣ」と記す）を例に説明するが、ＰＤＡ（Ｐｅｒｓｏｎａｌ  Ｄｉｇｉｔａｌ  Ａｓｓｉｓｔａｎｔ）や携帯電話のような他の携帯可能な情報処理装置についても適用可能である。
【００３２】
図１は、本発明の携帯情報端末装置としてのノートＰＣの実施の形態の外観を示す図である。ノートＰＣ（携帯情報端末装置１）は、表示器としてのＬＥＤ（ｌｉｇｈｔ  ｅｍｉｔｔｉｎｇ  ｄｉｏｄｅ）１２、ボタン１３、表示装置としてのＬＣＤ（ｌｉｑｕｉｄ  ｃｒｙｓｔａｌ  ｄｉｓｐｌａｙ）１４、入力部１７の一つとしてのキーボードを備える。
【００３３】
このノートＰＣ１は、キーボードとＬＣＤ１４とを接続するヒンジの近傍に、ＬＥＤ１２とボタン１３とが近接して設けられている。ＬＥＤ１２は、所定の色に発光している。ここで、ユーザがボタン１３を押すごとに、ボタン１３から第１信号が出力される。第１信号に基づいて、ノートＰＣ１の消費電力を管理する電力管理モードが変更される。その変更に基づいて、ＬＥＤ１２の発光色が別の色に変更される。ＬＥＤ１２の発光色と、電力管理モードとは対応しているので、ＬＥＤ１２の発光色を見るだけで、どの電力管理モードが現在使用されているかを容易に認識することができる。この電力管理モードとＬＥＤ１２の発光色との対応関係、及び電力管理モードそのものは、設定で変更可能な設定画面を有している。
【００３４】
ユーザの主要な利用形態が複数ある場合、それらに対応した複数の電源管理モードが予めノートＰＣ１内に設定されていれば、ボタン１３を押下するだけで、初心者でも簡単に適切な電源管理モードに変更することができる。そのとき、ＬＥＤ１２の発光色を見るだけで、現在の電源管理モードを容易に確認することが可能となる。加えて、ユーザの利用形態に対応した電源管理モードが無い場合、設定画面を利用することでユーザの求めるように電源管理の内容を自由に変更可能となる。
【００３５】
以下、本発明の携帯情報端末装置について詳細に説明する。
まず、本発明の携帯情報端末装置の実施の形態の構成について説明する。図２は、本発明の携帯情報端末装置としてのノートＰＣの実施の形態の構成を示すブロック図である。ノートＰＣ１は、プログラムとしての画面表示部２、モード設定部３、設定変更部４、状態表示部５及びデータとプログラムとしてのデータ記憶部６を具備する。
【００３６】
設定変更部４は、第１信号に基づいて、ノートＰＣ１の電力管理モードを現在使用しているものから他のものへ変更する。すなわち、設定変更部４は、第１信号に基づいて、予め用意された複数の第１電力管理モードのうちから、現在使用されている第１電力管理モードとは異なる他の第１電力管理モードを選択し、変更する。
【００３７】
電力管理モードは、ノートＰＣ１における電力の消費を管理する設定である。電力管理モードは、電力の消費に関連する複数のデバイスの各々の動作に関する設定を含んでいる。電力管理モードの設定項目は、例えば、表示装置の電源を切る時間、記憶装置（例示：ハードディスク）の電源を切る時間、システムをスタンバイにする時間、中央演算処理装置（ＣＰＵ）の速度、表示装置の輝度、スピーカの電源を切る時間、主電源の種類（例示：ＡＣ電源、バッテリー電源）である。
【００３８】
本実施の形態では、電力管理モードとして、第１信号の入力ごとに、複数の第１電力管理モードのうちから所定の順番で一つの第１電力管理モードを選択する。例えば、第１電力管理モードＡ、第１電力管理モードＢ、第１電力管理モードＣの三つの第１電力管理モードがある場合を考える。現在使用されている電力管理モードが第１電力管理モードＡとすると、最初の第１信号の入力により、電力管理モードが第１電力管理モードＡから第１電力管理モードＢへ変更される。次の第１信号の入力により、電力管理モードが第１電力管理モードＢから第１電力管理モードＣへ変更される。次の第１信号の入力により、電力管理モードが第１電力管理モードＣから第１電力管理モードＡへ変更される。以下同様である。
【００３９】
状態表示部５は、設定変更部４による電力管理モードの変更に基づいて、ＬＥＤ１２によるモード表示を、現在使用中の電力管理モードに対応する発光色から、変更後の電力管理モードに対応する他の発光色へ変更する。ここで、モード表示は、複数の第１電力管理モードのうちのどれが現在使用されているかを示す。ＬＥＤ１２の場合には、発光色である。ＬＥＤ１２の代わりに、表示器として、例えば、小型液晶画面を用いていれば、画面に表示される電力管理モードに対応した文字や図形、色彩、模様或いはそれらの組み合わせである。
なお、状態表示部５は、第１信号の入力に基づいて、ＬＥＤ１２によるモード表示を変更するようにしても良い。
【００４０】
本実施の形態では、ＬＥＤ１２のモード表示として、設定変更部４による電力管理モードの変更ごとに、複数の発光色（モード表示）のうちから所定の順番で変更後の電力管理モードに対応する一つの発光色（第１モード表示）を選択する。その発光色は、変更後の電力管理モードに対応している。例えば、第１電力管理モードＡに青色、第１電力管理モードＢに緑色、第１電力管理モードＣに黄色を対応させている場合を考える。現在使用されている電力管理モードが第１電力管理モードＡとすると、ＬＥＤ１２は青色に発光している。最初の第１信号の入力により、電力管理モードが第１電力管理モードＡから第１電力管理モードＢへ変更された場合、ＬＥＤ１２の発光が青色から緑色へ変わる。次の第１信号の入力により、電力管理モードが第１電力管理モードＢから第１電力管理モードＣへ変更された場合、ＬＥＤ１２の発光が緑色から黄色へ変わる。次の第１信号の入力により、電力管理モードが第１電力管理モードＣから第１電力管理モードＡへ変更された場合、ＬＥＤ１２の発光が黄色から青色へ変わる。以下同様である。これを示したのが図３である。
【００４１】
図３は、ＬＥＤ１２の発光の変化の様子を示す図である。上述のように、ボタン１３の押下とＬＥＤ１２の発光色との関係は以下のようになる。最初図の一番上にあるような発光色を示していたＬＥＤ１２は、ユーザがボタン１３を押すと、図の真中にあるような発光色を示すようになる。次に、ユーザがボタン１３を押すと、ＬＥＤ１２は図の一番下にあるような発光色を示すようになる。次に、ユーザがボタン１３を押すと、ＬＥＤ１２は図の一番上にあるような発光色を示すようになる。以下同様である。
【００４２】
ＬＥＤ１２は、複数の発光色を出すことのできる一つのＬＥＤを用いても良いし、発光色の異なる複数のＬＥＤを組み合わせたものを一つのＬＥＤとして用いても良い。又は、図とは異なるが、発光色の異なる複数のＬＥＤを横に並べて埋め込んで用いても良い。
【００４３】
ここでは、ＬＥＤ１２の発光色で、電力管理モードを表示しているが、本発明がそれに限定されるものではない。例えば、ＬＥＤ１２の代わりに、キーボードとＬＣＤ１４とを接続するヒンジの近傍に収まるような小さな液晶画面の表示器を設けても良い。そして、液晶画面に、発光色の代わりに所定の図形や文字、色を表示させる。そうすることで、ＬＥＤ１２の場合と同様の効果を得ることができる。
【００４４】
状態表示部５は、ソフトウェアではなく機械的なスイッチや回路のようなハードウェアで構成することも可能である。その場合、ボタン１３やＬＥＤ１２を含めたハードウェアとして構成しても良い。その場合、制御が容易になる。
【００４５】
図２を参照して、画面表示部２は、所定の入力信号に基づいて、複数の第１電力管理モードの各々の設定を変更する画面としての設定変更画面２０（後述）をＬＣＤ１４に表示する。
ここで、所定の入力信号は、ユーザによるキーボードやポインティングデバイスを用いた所定の動作により発生する。画面表示部２は、設定変更画面２０において、予め用意された複数の第２電力管理モード（第１電力管理モードの候補）を表示可能である。ユーザは、複数の第２電力管理モードのうちのいくつかを第１電力管理モードとして選択できる。画面表示部２は、更に、ユーザが設定する新たな電力管理モードとしての第３電力管理モードを用意するための、第３電力管理モードの入力画面を表示可能である。ユーザは、その入力画面に対して所定の入力を行うことで第１電力管理モードの候補としての第３電力管理モードを選択できる。
【００４６】
モード設定部３は、ユーザによる設定変更画面２０に対する入力に基づいて、複数の第１電力管理モードの各々の設定を変更する。本実施の形態では、設定部３は、設定変更画面２０への入力に基づいて、複数の第１電力管理モードの各々を、複数の第２電力管理モードのうちから選択されるものに変更可能である。複数の第２電力管理モードの数は、複数の第１電力管理モードの数よりも多い。設定部３は、更に、ユーザによるその入力画面に対する入力に基づいて、第３電力管理モードをデータ記憶部６へ格納する。
【００４７】
データ記憶部６は、現在使用中の電力管理モード、複数の第１電力管理モード、複数の第２電力管理モード、第３電力管理モードの各々に関するデータを格納している。
【００４８】
図４は、電源管理モードとＬＥＤの発光色との関係を示す第１テーブルである。第１テーブル７は、データ記憶部６に格納されている。このテーブルは、第１電力管理モード（モード１：７−３、モード２：７−４、モード３：７−５）と、ＬＥＤの発光色（ＬＥＤの発光色７−１）と、第２電力管理モード（モードの種類７−２）とを関連付けている。
【００４９】
すなわち、このテーブルは、ＬＥＤの発光色がどの第１電力管理モードに対応するかを定義している。ボタン１３の押下で次々に変更される第１電力管理モード（ここでは３つ）は、その数よりも多い第２電力管理モードの中から選択されているので、このテーブルは、第１電力管理モードが、どの第２電力管理モードに対応するかを定義している。
【００５０】
図５は、電源管理モードと電源管理モードにおける各デバイスの設定との関係を示す第２テーブルである。第２テーブル８は、データ記憶部６に格納されている。このテーブルは、第２電源管理モード（設定なし８−９、ユーザ設定８−１０、ＤＶＤ／ゲーム８−１１、ワープロ８−１２、音楽鑑賞８−１３、…）と、電源管理モードにおける各デバイスの設定（モニタ電源８−２、ＨＤ電源８−３、システムスタンバイ８−４、ＣＰＵ速度８−５、休止状態８−６、ＬＣＤ輝度８−７、電源８−８…）とを関連付けている。コメント文８−１は、第２電源管理モードの説明を示す。
【００５１】
第２電源管理モードの種類（ＤＶＤ／ゲーム、ワープロ、音楽鑑賞、…）は、ユーザの利用形態にできるだけ対応できるように設定されていることが好ましい。その名称もユーザに直感的に理解できるように付けられていることが好ましい。そして、工場出荷時に予め準備されていることが好ましい。それにより、初心者でも簡単に適切な電源管理モードを選択、設定することができる。
【００５２】
第１テーブル７の第２電力管理モード（モードの種類７−２）は、第２電源管理モード（設定なし８−９、ユーザ設定８−１０、ＤＶＤ／ゲーム８−１１、ワープロ８−１２、音楽鑑賞８−１３、…）のいずれか一つに対応する。すなわち、モードの種類７−２の欄には、設定なし８−９、ユーザ設定８−１０、ＤＶＤ／ゲーム８−１１、ワープロ８−１２、音楽鑑賞８−１３、…のいずれか一つが設定される。
【００５３】
このテーブルでは、ある第２電源管理モード（例示：ＤＶＤ／ゲーム）において、モニタ電源８−２、ＨＤ電源８−３、システムスタンバイ８−４、ＣＰＵ速度８−５、休止状態８−６、ＬＣＤ輝度８−７、電源８−８…をどのような設定にするかを定義している。これにより、例えば、ＤＶＤ／ゲームという第２電源管理モードが第１電源管理モードとして設定され、ボタン１３の押下で選択された場合、第２テーブル８に定義された各デバイスの設定が設定変更部４により読み出されて、各デバイスの設定が変更される。
【００５４】
図６は、設定変更画面２０を示す図である。複数の第１電力管理モードの各々の設定を変更する画面としての設定変更画面２０は、ユーザによる所定入力信号の入力により、ＬＣＤ１４に表示される。設定変更画面２０は、ＬＣＤ１４の表示画面全体に表示される必要はなく、入力部１７の一つであるポインティングデバイスにより、大きさを調整することができるようにしても良い。
【００５５】
設定変更画面２０は、チェックボックス２２、ＬＥＤマーク２３、電源管理モードＩＤ２４、ＬＥＤ発光色表示２５、電源管理モード名称２６、プルダウンボタン２７、電源管理モード説明２８、擬似キーボード２９、擬似ＬＥＤ３０、設定初期化ボタン３１、ＯＫボタン３２、キャンセルボタン３３を有する。
【００５６】
チェックボックス２２は、ボタン１３により電力管理モードを変更することができる機能を有効にするか否かを設定する。無効にした場合、ＬＥＤ１２の発光表示をＯＦＦとする。この画面での設定変更が出来ないようにしても良い。
【００５７】
ＬＥＤマーク２３は、設定変更画面２０のこの行で設定される電源管理モード（第１電源管理モード）に対応するＬＥＤ１２の発光色を、視覚的に容易に理解できるように示している。電源管理モードＩＤ２４は、設定変更画面２０のこの行で設定される第１電源管理モードのＩＤを示している。この電源管理モードＩＤ２４は、第１テーブル７の第１電力管理モード（モード１：７−３、モード２：７−４、モード３：７−５）に対応している。ＬＥＤ発光色表示２５は、第１電源管理モードに対応するＬＥＤ１２の発光色を色の名称で示している。このＬＥＤ発光色表示２５は、第１テーブル７のＬＥＤの発光色（ＬＥＤの発光色７−１）に対応している。
【００５８】
電源管理モード名称２６は、第１電源管理モードの名称を示している。この電源管理モード名称２６は、第１テーブル７の第２電力管理モード（モードの種類７−２）、及び、第２テーブル８の第２電源管理モード（設定なし８−９、ユーザ設定８−１０、ＤＶＤ／ゲーム８−１１…）のいずれか一つに対応している。プルダウンボタン２７は、ポインティングデバイスのポインタで指示することで、第１電源管理モードとして設定し得る第１電源管理モードの候補としての複数の第２電源管理モードを表示させる。電源管理モード説明２８は、電源管理モード名称２６の第１電源管理モードの説明（目的、最適な使用場面など）を表示している。電源管理モード説明２８は、第２テーブル８のコメント文８−１に対応している。
【００５９】
擬似キーボード２９及び擬似ＬＥＤ３０は、ユーザの理解を助けるために、キーボード及びボタン１３、ＬＥＤ１２の位置関係を図示している。設定初期化ボタン３１は、各電源管理モードＩＤ２４に設定される第１電源管理モードを出荷時の設定に戻す。ＯＫボタン３２は、設定変更画面２０の設定を実行する。キャンセルボタン３３は、設定変更画面２０の設定の実行をキャンセルする。
【００６０】
図７は、図６の設定変更画面２０においてプルダウンボタン２７を押した場合を示す図である。ポインティングデバイスのポインタ４０でプルダウンボタン２７を押すことで、プルダウンメニュー４１がプルダウンする。プルダウンメニュー４１は、第１電源管理モードとして設定し得る第１電源管理モードの候補としての複数の第２電源管理モード４２を表示する。ここに表示される複数の第２電源管理モード４２は、第２テーブル８の第２電源管理モード（設定なし８−９、ユーザ設定８−１０、ＤＶＤ／ゲーム８−１１、ワープロ８−１２、音楽鑑賞８−１３、…）の全てである。ユーザは、複数の第２電源管理モード４２から一つを選択して、第１電源管理モードとして設定することができる。
【００６１】
図８は、本発明の携帯情報端末装置の実施の形態のハードウェア構成を示す図である。携帯情報端末装置１は、バス１８に接続されたＣＰＵ（Ｃｅｎｔｒａｌ  Ｐｒｏｃｅｓｓｉｎｇ  Ｕｎｉｔ）１１、ＬＥＤ１２、ボタン１３、ＬＣＤ１４、第１メモリ１５、第２メモリ１６、入力部１７を備える。
【００６２】
上記のソフトウエアである画面表示部２、モード設定部３、設定変更部４、状態表示部５及びデータ記憶部６は、第２メモリ１６に格納されている。携帯情報端末装置1の動作の際、上記の画面表示部２、モード設定部３、設定変更部４及び状態表示部５は、第１メモリ１５に展開され、ＣＰＵ１１がそれらを実行する。画面表示部２及びモード設定部３の動作では、設定変更画面２０や入力画面がＬＣＤ１４に表示される。ユーザは、入力部１７を介してノートＰＣ１へデータ入力を行う。電力管理モードの変更は、ユーザによりボタン１３が押下され、第１信号が出力されて実行される。そのとき、ＬＥＤ１２の発光色も対応して変更される。
【００６３】
第２メモリ１６は、ＨＤ（Ｈａｒｄ  Ｄｉｓｋ）、ＲＯＭ（Ｒｅａｄ  Ｏｎｌｙ  Ｍｅｍｏｒｙ）、メモリカードのようなリムーバブルメモリに例示される。第１メモリ１５は、ＲＡＭ（Ｒａｎｄｏｍ  Ａｃｃｅｓｓ  Ｍｅｍｏｒｙ）に例示される。ＬＣＤ１４は、液晶ディスプレイに限定されず、ノートＰＣ１に使用可能な他のタイプの平面型のディスプレイでもよい。入力部１７は、通信ポートやキーボード、マウスのようなポインティングデバイスに例示される。ボタン１３は、ボタンに限定されずスイッチのような本発明の実施に可能な他の信号発生装置でも良い。ＬＥＤ１２は、ＬＥＤに限定されず、小型の液晶表示装置やランプのような複数の状態を表示可能な機器でも良い。
【００６４】
次に、本発明の携帯情報端末装置の実施の形態の動作（携帯情報端末装置の電力管理方法の実施の形態）について説明する。
【００６５】
まず、電力管理モードの設定を行う方法について説明する。図９は、本発明の携帯情報端末装置の実施の形態の動作を示すフロー図である。
（１）ステップＳ０１
画面表示部２は、ユーザの入力動作により発生する入力信号に基づいて、設定変更画面２０（図６）を表示装置としてのＬＣＤ１４に表示する。このとき、電源管理モードＩＤ２４、ＬＥＤ発光色表示２５、電源管理モード名称２６のデータについては、第１テーブル７から取得する。電源管理モード説明２８のデータについては、第２テーブル８から取得する。
（２）ステップＳ０２
ユーザは、設定変更画面２０に対して、所定の入力を行う。所定の入力としては、２つの場合がある。
（ｉ）図６におけるモード１〜モード３の少なくとも一つについて、プルダウンボタン２７をポインタ４０でクリックする。画面表示部２は、複数の第２電力管理モード４２を表示する。ユーザは、複数の第２電力管理モード４２のうちからユーザ設定を除く一つを選択する。
（ｉｉ）モード１〜モード３の少なくとも一つについて、プルダウンボタン２７をポインタ４０でクリックする。画面表示部２は、複数の第２電力管理モード４２を表示する。ユーザは、複数の第２電力管理モードのうちからユーザ設定を選択する。
（ｉｉ）の場合、ステップＳ０３へ進む。（ｉ）の場合ステップＳ０４へ進む。なお、複数の第２電力管理モード４２のデータについては、第２テーブル８から取得する。
（３）ステップＳ０３
モード設定部３は、新たな電力管理モードを設定する入力画面（図示されず）をＬＣＤ１４に表示する。設定項目は、図８に示したモニタ電源８−２、ＨＤ電源８−３、システムスタンバイ８−４、ＣＰＵ速度８−５、休止状態８−６、ＬＣＤ輝度８−７、電源８−８に例示される。それらは設定が容易なように、複数の項目からの選択、単位付き数値入力枠、スライド可能な目盛りバー等が用いられる。モード設定部３は、ユーザによる設定終了後、新たに設けられた第２電力管理モードとして、ユーザの設定する名称を付して第２テーブル８に登録する。
（４）ステップＳ０４
モード設定部３は、複数の第２電力管理モード４２のうちから一つの第２電力管理モードが選択された時点で、選択された第２電力管理モードを第１電力管理モードとして設定する。そして、その第１電力管理モードに基づいて、各デバイス等の設定を変更する。
このとき、モード設定部３は、複数の第１電力管理モード（２６−１〜２６−３）のなかに同じものがある場合、ＬＣＤ１４に、その旨又は同じものの一方を変更を促す内容のエラーメッセージを表示させるステップを含む。
（５）ステップＳ０５
設定を変更された第１電力管理モードのデータに基づいて、第１テーブル７を更新する。
【００６６】
以上の動作により、電力管理モードの設定を行うことができる。
【００６７】
本発明により、初心者でも簡単に適切な電源管理モードを選択し、設定することができる。加えて、ユーザの求めるように電源管理モードの内容を自由に変更可能となる。
【００６８】
次に、電力管理モードの変更を行う方法について説明する。図１０は、本発明の携帯情報端末装置の実施の形態の他の動作を示すフロー図である。
（１）ステップＳ１１
ボタン１３は、ユーザによるボタン１３の押下に応答して第１信号を出力する。
（２）ステップＳ１２
設定変更部４は、第１信号に応答して、所定の順番に従って、次の順番の第１電力管理モードのデータを第１テーブル７及び第２テーブル８を参照して読み出す。
（３）ステップＳ１３
設定変更部４は、現在使用している第１電力管理モードから、読み出された次の順番の第１電力管理モードに電力管理モードを変更する。それにより、電力消費に関連する各デバイスの設定が変更される。
（４）ステップＳ１４
状態表示部５は、設定変更部４による電力管理モードの変更に基づいて、所定の順番に従って、ＬＥＤ１２の発光色を、現在の発光色から次の順番の発光色へ変更する。
【００６９】
以上の動作により、ノートＰＣを使用中に電力管理モードの変更を行うことができる。この場合、電力管理モードの変更後にＬＥＤ１２の発光色を変換するので、電力管理モードと発光色との対応にづれが生じることがない。
【００７０】
上記の動作において、ステップＳ１１のボタン１３の押下後は、Ｓ１４−Ｓ１２−Ｓ１３の順番や、ステップＳ１２−ＳＳ１４−Ｓ１３の順番で実施することも可能である。
【００７１】
本実施の形態では、複数の第１電源管理モードが３種類（モード１〜モード３）の場合を説明しているが、本発明がこの数に限定されるものではなく、更に多くの種類の複数の第１電源管理モードで実施することも可能である。
【００７２】
本発明により、ボタン１３を押下するという簡単な動作を行うことで、初心者でも簡単に所望の電源管理モードに変更することができる。ＬＥＤ１２の色を視認するだけで、現在の電源管理モードを容易に確認することが可能となる。
【図面の簡単な説明】
【００７３】
【図１】図１は、本発明の携帯情報端末装置としてのノートＰＣの実施の形態の外観を示す図である。
【図２】図２は、本発明の携帯情報端末装置としてのノートＰＣの実施の形態の構成を示すブロック図である。
【図３】図３は、ＬＥＤ１２の発光の変化の様子を示す図である。
【図４】図４は、電源管理モードとＬＥＤの発光色との関係を示す第１テーブルである。
【図５】図５は、電源管理モードと電源管理モードにおける各デバイスの設定との関係を示す第２テーブルである。
【図６】図６は、設定変更画面を示す図である。
【図７】図７は、図６の設定変更画面においてプルダウンボタン２７を押した場合を示す図である。
【図８】図８は、本発明の携帯情報端末装置の実施の形態のハードウェア構成を示す図である。
【図９】図９は、本発明の携帯情報端末装置の実施の形態の動作を示すフロー図である。
【図１０】図１０は、本発明の携帯情報端末装置の実施の形態の他の動作を示すフロー図である。
【符号の説明】
【００７４】
１    携帯情報端末装置
２    画面表示部
３    モード設定部
４    設定変更部
５    表示部
６    データ記憶部
７    第１テーブル
８    第２テーブル
１１    ＣＰＵ
１２    ＬＥＤ
１３    ボタン
１４    ＬＣＤ
１５    第１メモリ
１６    第２メモリ
１７    入力部
２０    設定変更画面
２２    バスチェックボックス
２３    ＬＥＤマーク
２４    電源管理モードＩＤ
２５    ＬＥＤ発光色表示
２６    電源管理モード名称
２７    プルダウンボタン
２８    電源管理モード説明
２９    擬似キーボード
３０    擬似ＬＥＤ
３１    設定初期化ボタン
３２    ＯＫボタン
３３    キャンセルボタン
４０    ポインタ
４１    プルダウンメニュー
４２    第２電源管理モード
【図１】
2005310004.tif 000003
【図２】
2005310004.tif 000004
【図３】
2005310004.tif 000005
【図４】
2005310004.tif 000006
【図５】
2005310004.tif 000007
【図６】
2005310004.tif 000008
【図７】
2005310004.tif 000009
【図８】
2005310004.tif 000010
【図９】
2005310004.tif 000011
【図１０】
2005310004.tif 000012